(57)【要約】      （修正有）【課題】筐体の小型化を図った場合であっても、静圧を高めることができ、且つ騒音の発生を抑制することが可能な送風機を提供する。【解決手段】送風機１は、上下に延びる中心軸Ｃ回りに回転するインペラ１０と、前記インペラを回転させるモータと、前記インペラ及び前記モータを収納し、スクロール状の流路３１を有する筐体３０と、を有する。前記筐体は、前記インペラの上部を覆う上カバー部３２と、前記インペラの下部を覆う下カバー部３３と、軸方向に貫通する吸気口３４と、軸方向と交差する方向に貫通する排気口３５と、を有する。前記上カバー部は、前記インペラよりも径方向外方で前記流路の内部上面から軸方向下方に延びる上突出部４０を有する。前記下カバー部は、前記インペラよりも径方向外方で前記流路の内部下面から軸方向上方に延び、前記上突出部の軸方向下端よりも軸方向下方に配置される、少なくとも１つの下突出部５０を有する。【選択図】図１
2019214961.tif 000002
【特許請求の範囲】
【請求項１】
上下に延びる中心軸回りに回転するインペラと、
前記インペラを回転させるモータと、
前記インペラ及び前記モータを収納し、スクロール状の流路を有する筐体と、
を有し、
前記筐体は、
前記インペラの上部を覆う上カバー部と、
前記インペラの下部を覆う下カバー部と、
軸方向に前記筐体を貫通する吸気口と、
軸方向と交差する方向に前記筐体を貫通する排気口と、
を有し、
前記上カバー部は、前記インペラよりも径方向外方で前記流路の内部上面から軸方向下方に延びる上突出部を有し、
前記下カバー部は、前記インペラよりも径方向外方で前記流路の内部下面から軸方向上方に延び、前記上突出部の軸方向下端よりも軸方向下方に配置される、少なくとも１つの下突出部を有する、送風機。
【請求項２】
前記インペラは、
前記中心軸回りに配列された複数の羽根と、
周方向に延び、前記複数の羽根を連結する連結部と、
を有し、
前記吸気口が配置された前記筐体の一面と軸方向に対向する前記上突出部及び前記下突出部のうち一方の軸方向先端は、前記連結部よりも軸方向の前記吸気口側に配置される、請求項１に記載の送風機。
【請求項３】
前記上突出部の軸方向下端は、前記下突出部の少なくとも一部と軸方向に対向する、請求項１または請求項２に記載の送風機。
【請求項４】
前記上突出部は、軸方向と交差する方向に隙間を介して複数配列される、請求項１から請求項３のいずれかに記載の送風機。
【請求項５】
前記下突出部は、軸方向と交差する方向に隙間を介して複数配列される、請求項１から請求項４のいずれかに記載の送風機。
【請求項６】
前記上突出部または前記下突出部は、軸方向と交差する方向に隙間を介して複数配列され、
少なくとも１つの前記上突出部または少なくとも１つの前記下突出部は 、他の前記上突出部または他の前記下突出部と、軸方向と交差し、且つ空気流通方向と交差する方向の長さが異なる、請求項１から請求項３のいずれかに記載の送風機。
【請求項７】
前記上突出部または前記下突出部は、軸方向と交差する方向に隙間を介して複数配列され、
少なくとも１つの前記上突出部または少なくとも１つの前記下突出部は、他の前記上突出部または他の前記下突出部と、軸方向と交差し、且つ空気流通方向と交差する方向の長さが同一である、請求項１から請求項３のいずれかに記載の送風機。
【請求項８】
前記上突出部または前記下突出部は、軸方向と交差する方向に隙間を介して複数配列され、
前記複数の上突出部または前記複数の下突出部において、
軸方向と交差し、且つ空気流通方向と交差する方向の長さは、軸方向先端に向かうにつれて短くなり、
軸方向の長さは、同一である、請求項１から請求項３のいずれかに記載の送風機。
【請求項９】
前記上突出部及び前記下突出部は、軸方向と交差する方向に隙間を介して複数配列され、
前記複数の上突出部の軸方向下端は、前記複数の下突出部のいずれかの少なくとも一部と軸方向に対向する、請求項１から請求項３のいずれかに記載の送風機。
【請求項１０】
前記流路は、
前記インペラの径方向外方に配置される環状部と、
前記環状部の径方向外方に配置され、前記環状部から離れる方向に前記排気口まで延びる排気部と、
を有し、
前記上突出部及び前記下突出部の少なくとも一方は、前記排気部に配置され、前記インペラと径方向に対向する前記筐体の側壁部と隙間を隔てる、請求項１から請求項９のいずれかに記載の送風機。
【発明の詳細な説明】
【技術分野】
【０００１】
本発明は、送風機に関する。
【背景技術】
【０００２】
従来の遠心式送風機が、特許文献１に開示されている。特許文献１で開示された遠心式送風機は、羽根車と、羽根車を収容するとともに渦巻状流路を形成してノーズ部が設けられたケーシングと、を有する。ケーシングは、底板に設けられて、渦巻状流路を羽根車の径方向に区切るとともに羽根車の周方向に沿って延びるベーンを有する。ベーンの後縁は、渦巻状流路の主流方向でノーズ部よりも上流側に位置する。このベーンによって、ノーズ部近傍における流体の逆流を遮断することが可能となり、ノーズ部近傍において生じる低周波音の原因となる渦の発生を抑制できる。また、ベーンは、羽根車から流出した流体の流れも併せて遮断してしまうことはなく、吐出流量を確保できる。
【先行技術文献】
【特許文献】
【０００３】
【特許文献１】特開２０１６−２０５２３４公報
【発明の概要】
【発明が解決しようとする課題】
【０００４】
特許文献１で開示された従来の遠心式送風機では、例えばケーシングの小型化を図りたい場合に、風量−静圧特性が低下する虞がある。さらに、風量−静圧特性を改善するために回転数を上昇させると、騒音が発生する虞がある。
【０００５】
上記の点に鑑み、本発明は、筐体の小型化を図った場合であっても、静圧を高めることができ、且つ騒音の発生を抑制することが可能な送風機を提供することを目的とする。
【課題を解決するための手段】
【０００６】
本発明の例示的な送風機は、上下に延びる中心軸回りに回転するインペラと、前記インペラを回転させるモータと、前記インペラ及び前記モータを収納し、スクロール状の流路を有する筐体と、を有する。前記筐体は、前記インペラの上部を覆う上カバー部と、前記インペラの下部を覆う下カバー部と、軸方向に貫通する吸気口と、軸方向と交差する方向に貫通する排気口と、を有する。前記上カバー部は、前記インペラよりも径方向外方で前記流路の内部上面から軸方向下方に延びる上突出部を有する。前記下カバー部は、前記インペラよりも径方向外方で前記流路の内部下面から軸方向上方に延び、前記上突出部の軸方向下端よりも軸方向下方に配置される、少なくとも１つの下突出部を有する。
【発明の効果】
【０００７】
本発明の例示的な送風機によれば、筐体の小型化を図った場合であっても、静圧を高めることができ、且つ騒音の発生を抑制することが可能である。
【図面の簡単な説明】
【０００８】
【図１】図１は、本発明の実施形態に係る送風機の一例の全体斜視図である。
【図２】図２は、送風機の正面図である。
【図３】図３は、送風機の平面図である。
【図４】図４は、送風機の縦断面図である。
【図５】図５は、送風機の横断面図である。
【図６】図６は、変形例１の送風機の部分正面図である。
【図７】図７は、変形例２の送風機の部分正面図である。
【図８】図８は、変形例３の送風機の部分正面図である。
【図９】図９は、変形例４の送風機の部分正面図である。
【図１０】図１０は、変形例５の送風機の部分正面図である。
【図１１】図１１は、変形例６の送風機の部分正面図である。
【図１２】図１２は、変形例７の送風機の部分正面図である。
【図１３】図１３は、変形例８の送風機の部分正面図である。
【図１４】図１４は、変形例９の送風機の部分正面図である。
【図１５】図１５は、変形例１０の送風機の縦断面図である。
【発明を実施するための形態】
【０００９】
以下、本発明の例示的な実施形態について、図面を参照しながら詳細に説明する。本書では、送風機のインペラの中心軸が延びる方向を単に「軸方向」と呼び、インペラの中心軸を中心として中心軸と直交する方向を単に「径方向」と呼び、インペラの中心軸を中心とする円弧に沿う方向を単に「周方向」と呼ぶ。また、本書では、説明の便宜上、軸方向を上下方向とし、図１及び図２における上下方向を送風機の上下方向として各部の形状及び位置関係を説明する。本実施形態では、図１及び図２に示した送風機の「上側」が「吸気側」である。なお、この上下方向の定義は、送風機の使用時の向き及び位置関係を限定するものではない。
【００１０】
また、本書では、軸方向に平行な断面を「縦断面」と呼び、軸方向に垂直な断面を「横断面」と呼ぶ。また、本書で用いる「平行」、「垂直」、「直交」は、厳密な意味で平行、垂直、直交を表すものではなく、略平行、略垂直、略直交を含む。
【００１１】
＜１．送風機の概略構成＞
図１は、本発明の実施形態に係る送風機１の一例の全体斜視図である。図２は、送風機１の正面図である。図３は、送風機１の平面図である。送風機１は、インペラ１０と、モータ２０と、筐体３０と、を有する。
【００１２】
＜１−１．インペラの構成＞
インペラ１０は、筐体３０の内方に配置される。インペラ１０は、軸方向から見て、中心軸Ｃを中心とした円形である。インペラ１０は、上下に延びる中心軸Ｃ回りに回転する。図３において回転方向Ｒとして示したように、インペラ１０は、送風機１を上方から見て時計回りに回転する。
【００１３】
＜１−２．モータの構成＞
モータ２０は、後述するインペラカップ１３の内方に配置される。モータ２０は、筐体３０に固定される。さらに、モータ２０には、インペラカップ１３が固定される。モータ２０は、インペラ１０を回転させる。より具体的には、モータ２０は、インペラ１０を中心軸Ｃ回りに回転させる。
【００１４】
＜１−３．筐体の構成＞
筐体３０は、インペラ１０及びモータ２０の外方に配置される。筐体３０は、軸方向から見てスクロール形である。筐体３０の内方には、スクロール状の空気流通空間である流路３１が形成される。すなわち、筐体３０は、インペラ１０及びモータ２０を収納し、スクロール状の流路３１を有する。筐体３０は、上カバー部３２と、下カバー部３３と、吸気口３４と、排気口３５と、を有する。
【００１５】
上カバー部３２は、天板部３２１と、側壁部３２２と、を有する。天板部３２１は、軸方向と直交する方向に広がる板状である。側壁部３２２は、軸方向上下に延びる板状である。側壁部３２２は、天板部３２１の径方向における外端部から軸方向下方に延びる。天板部３２１は、側壁部３２２の軸方向上端部に接続される。上カバー部３２は、インペラ１０の上部を覆う。
【００１６】
下カバー部３３は、底板部３３１と、側壁部３３２と、を有する。底板部３３１は、軸方向と直交する方向に広がる板状である。側壁部３３２は、軸方向上下に延びる板状である。側壁部３３２は、底板部３３１の径方向における外端部から軸方向上方に延びる。側壁部３３２は、側壁部３２２の軸方向下端部と接続される。底板部３３１は、側壁部３３２の軸方向下端部に接続される。下カバー部３３は、インペラ１０の下部を覆う。
【００１７】
吸気口３４は、上カバー部３２の天板部３２１に設けられる。吸気口３４は、軸方向から見て、中心軸Ｃを中心とした円形である。吸気口３４は、軸方向に天板部３２１を貫通する。すなわち、吸気口３４は、軸方向に筐体３０を貫通する。吸気口３４の直径は、インペラ１０の直径よりも小さい。
【００１８】
排気口３５は、上カバー部３２の側壁部３２２と、下カバー部３３の側壁部３３２と、に跨って設けられる。排気口３５は、軸方向と交差する方向から見て、矩形である。排気口３５は、軸方向と交差する方向に側壁部３２２、３３２を貫通する。すなわち、排気口３５は、軸方向と交差する方向に筐体３０を貫通する。
【００１９】
＜２．送風機の詳細構成＞
図４は、送風機１の縦断面図である。図５は、送風機１の横断面図である。
【００２０】
上カバー部３２は、上突出部４０を有する。上突出部４０は、第１上突出部４１と、第２上突出部４２と、を含む。上突出部４０は、インペラ１０よりも径方向外方に配置される。上突出部４０は、天板部３２１の下面に配置される。上突出部４０は、軸方向上下に延びる板状である。すなわち、上カバー部３２は、インペラ１０よりも径方向外方で流路３１の内部上面から軸方向下方に延びる上突出部４０を有する。
【００２１】
下カバー部３３は、下突出部５０を有する。下突出部５０は、第１下突出部５１と、第２下突出部５２と、を含む。下突出部５０は、インペラ１０よりも径方向外方に配置される。下突出部５０は、底板部３３１の上面に配置される。下突出部５０は、軸方向上下に延びる板状である。下突出部５０は、上突出部４０の軸方向下端よりも軸方向下方に配置される。すなわち、下カバー部３３は、インペラ１０よりも径方向外方で流路３１の内部下面から軸方向上方に延び、上突出部４０の軸方向下端よりも軸方向下方に配置される、少なくとも１つの下突出部５０を有する。
【００２２】
上記実施形態の構成によれば、上突出部４０の軸方向下端と、下突出部５０の軸方向上端とは、軸方向において離間する。すなわち、筐体３０は、上突出部４０と下突出部５０との間に軸方向隙間３６を有する。本実施形態のように、流路３１に上突出部４０及び下突出部５０を配置することで、送風機１の静圧を高めることができる。さらに、上突出部４０及び下突出部５０を上下に分割したことで、上突出部４０及び下突出部５０それぞれの表面圧力を低減させることができる。すなわち、送風機１において、騒音の発生を抑制することが可能である。
【００２３】
インペラ１０は、複数の羽根１１と、連結部１２と、を有する。さらに、インペラ１０は、インペラカップ１３と、支持部１４と、を有する。
【００２４】
複数の羽根１１は、インペラカップ１３の径方向外方において周方向に配列される。すなわち、複数の羽根１１は、中心軸Ｃ回りに配列される。複数の羽根１１は、インペラカップ１３の外面から径方向外方に間隔をあけて配置される。複数の羽根１１それぞれは、軸方向、且つ径方向に沿って延びる板状である。複数の羽根１１それぞれは、中心軸Ｃから離れるにつれてインペラ１０の回転方向Ｒ前方側に湾曲する。
【００２５】
連結部１２は、リング部１２ａと、接続部１２ｂと、を有する。リング部１２ａは、インペラカップ１３の外面から径方向外方に間隔をあけて配置される。リング部１２ａは、３個の接続部１２ｂを介して、インペラカップ１３の外面に接続される。リング部１２ａは、中心軸Ｃを中心とする径方向、且つ周方向に延びる板状である。リング部１２ａは、複数の羽根１１を周方向に貫通する。すなわち、連結部１２は、周方向に延び、複数の羽根１１を連結する。
【００２６】
インペラカップ１３は、インペラ１０の中心部に配置される。インペラカップ１３は、上方に蓋を有する略円筒状の部材である。インペラカップ１３の内方には、モータ２０が固定される。インペラ１０は、モータ２０を介して、筐体３０に固定される。
【００２７】
支持部１４は、複数の羽根１１の軸方向上端部、且つ径方向外端部に配置される。支持部１４は、中心軸Ｃを中心とする周方向に延びるリング状である。支持部１４には、複数の羽根１１が固定される。これにより、支持部１４は、複数の羽根１１それぞれを支持する。
【００２８】
下突出部５０は、インペラ１０の連結部１２よりも軸方向上方まで延びる。すなわち、吸気口３４が配置された筐体３０の一面（天板部３２１）と軸方向に対向する上突出部４０及び下突出部５０のうち一方（下突出部５０）の軸方向先端は、連結部１２よりも軸方向の吸気口３４側に配置される。これにより、軸方向隙間３６は、連結部１２の上面よりも軸方向上方に配置される。すなわち、軸方向隙間３６は、連結部１２よりも軸方向の吸気口３４側に配置される。
【００２９】
吸気口３４からインペラ１０の内方に吸い込まれた空気の一部は、連結部１２に当たって径方向外方に吹き出される。仮に、例えば連結部１２と軸方向隙間３６とが軸方向に同じ位置に配置された場合、連結部１２に当たって径方向外方に吹き出された空気がまとまって軸方向隙間３６を通過してしまう。これにより、本来の目的である静圧の上昇という効果が薄れる。そこで、本実施形態のように、軸方向隙間３６を連結部１２よりも軸方向の吸気口３４側に配置することで、連結部１２に当たって径方向外方に吹き出された空気が、そのまま軸方向隙間３６を通過することを抑制できる。これにより、送風機１の静圧を高める効果を維持しながら、上突出部４０及び下突出部５０それぞれの表面圧力を低減させる効果を高めることができる。
【００３０】
流路３１は、環状部３１１と、排気部３１２と、を有する。
【００３１】
環状部３１１は、インペラ１０の径方向外方に配置される。環状部３１１は、インペラ１０の径方向外方に隣接する環状の空気流通空間である。排気部３１２は、環状部３１１の径方向外方に配置される。環状部３１１において、空気は、インペラ１０の回転方向Ｒ（周方向）に沿って略環状に流通する。
【００３２】
排気部３１２は、環状部３１１から外周の接線方向に離れ、排気口３５まで延びる線状の空気流通空間である。すなわち、排気部３１２は、環状部３１１の径方向外方に配置され、環状部３１１から離れる方向に排気口３５まで延びる。なお、排気部３１２の、インペラ１０の回転方向Ｒ後方側は、スクロール状の流路３１の巻き終わり部３１ａに接続する。排気部３１２の、インペラ１０の回転方向Ｒ前方側は、スクロール状の流路３１の舌部３１ｂに接続する。排気部３１２において、空気は、環状部３１１から離れ、排気口３５に向かう方向に沿って略直線状に流通し、排気口３５から外部に排出される。
【００３３】
上突出部４０及び下突出部５０の少なくとも一方は、排気部３１２に配置され、インペラ１０と径方向に対向する筐体３０の側壁部３２２、３３２と隙間３７を隔てる。本実施形態において、上突出部４０及び下突出部５０は、排気部３１２に配置される。上突出部４０及び下突出部５０は、インペラ１０と径方向に対向する筐体３０の側壁部３２２、３３２と隙間３７を隔てて配置される。なお、上突出部４０及び下突出部５０の少なくとも一方が、排気部３１２に配置されていれば良い。
【００３４】
通常、スクロール状の流路３１の巻き終わり部３１ａでは空気の圧力が低下する。つまり、流路３１の排気部３１２を流通する空気の圧力は低い。本実施形態の構成によれば、上突出部４０または下突出部５０によって、より空気の圧力を高めることができる。また、インペラ１０に隣接する環状部３１１を流通する空気の流速は速い。上突出部４０または下突出部５０は、環状部３１１よりも径方向外方に配置されるので、強いピーク性の騒音の発生を抑制することができる。さらに、上突出部４０または下突出部５０は、インペラ１０と径方向に対向する筐体３０の側壁部３２２、３３２と隙間３７を隔てて配置されるので、風量の低下を抑制することができる。
【００３５】
なお、上突出部４０及び下突出部５０は、軸方向と交差する方向に関して、排気部３１２における空気流通方向（図５における上下方向）に沿って、環状部３１１側から排気口３５に向かって延びる。また、隙間３７は、軸方向と交差する方向に関して、側壁部３２２、３３２並びに上突出部４０及び下突出部５０に沿って、排気部３１２における空気流通方向に延びる。
【００３６】
第１上突出部４１と、第２上突出部４２とは、軸方向と交差する方向に隙間３８を介して配列される。すなわち、上突出部４０は、軸方向と交差する方向に隙間３８を介して複数配列される。隙間３８は、軸方向と交差する方向に関して、第１上突出部４１及び第２上突出部４２に沿って、排気部３１２における空気流通方向に延びる。環状部３１１から排気部３１２に流通した空気の一部は、複数の上突出部４０に当たり、圧力が上昇する。また、環状部３１１から排気部３１２に流通した空気の一部は、複数の上突出部４０の間の隙間３８に流通する。つまり、環状部３１１から排気部３１２に流通した空気は、隙間３８によって整流される。これにより、送風機１の静圧を高め、且つ風量を増加させることができる。なお、上突出部４０は、３つ以上設けても良い。
【００３７】
第１下突出部５１と、第２下突出部５２とは、軸方向と交差する方向に隙間３８を介して配列される。すなわち、下突出部５０は、軸方向と交差する方向に隙間３８を介して複数配列される。隙間３８は、軸方向と交差する方向に関して、第１下突出部５１及び第２下突出部５２に沿って、排気部３１２における空気流通方向に延びる。環状部３１１から排気部３１２に流通した空気の一部は、複数の下突出部５０に当たり、圧力が上昇する。また、環状部３１１から排気部３１２に流通した空気の一部は、複数の下突出部５０の間の隙間３８に流通する。つまり、環状部３１１から排気部３１２に流通した空気は、隙間３８によって整流される。これにより、送風機１の静圧を高め、且つ風量を増加させることができる。なお、下突出部５０は、３つ以上設けても良い。
【００３８】
図２に示すように、第１上突出部４１における、軸方向と交差し、且つ空気流通方向と交差する方向の長さｗ４１は、第２上突出部４２における、軸方向と交差し、且つ空気流通方向と交差する方向の長さｗ４２と異なる。なお、３つ以上の突出部を有する上突出部４０において、少なくとも１つの上突出部４０における、軸方向と交差し、且つ空気流通方向と交差する方向の長さは、他と異なる構成であっても良い。
【００３９】
例えば、３つの上突出部４０を有する場合に、２つの上突出部４０における、軸方向と交差し、且つ空気流通方向と交差する方向の長さは同一であり、残る１つの上突出部４０における、当該長さは他の２つと異なることにしても良い。また、３つすべての上突出部４０における、軸方向と交差し、且つ空気流通方向と交差する方向の長さは、異なることにしても良い。
【００４０】
図２に示すように、第１下突出部５１における、軸方向と交差し、且つ空気流通方向と交差する方向の長さｗ５１は、第２下突出部５２における、軸方向と交差し、且つ空気流通方向と交差する方向の長さｗ５２と異なる。なお、３つ以上の突出部を有する下突出部５０において、少なくとも１つの下突出部５０における、軸方向と交差し、且つ空気流通方向と交差する方向の長さは、他と異なる構成であっても良い。
【００４１】
例えば、３つの下突出部５０を有する場合に、２つの下突出部５０における、軸方向と交差し、且つ空気流通方向と交差する方向の長さは同一であり、残る１つの下突出部５０における、当該長さは他の２つと異なることにしても良い。また、３つすべての下突出部５０における、軸方向と交差し、且つ空気流通方向と交差する方向の長さは、異なることにしても良い。
【００４２】
すなわち、上突出部４０または下突出部５０は、軸方向と交差する方向に隙間３８を介して複数配列され、少なくとも１つの上突出部４０または少なくとも１つの下突出部５０は 、他の上突出部４０または他の下突出部５０と、軸方向と交差し、且つ空気流通方向と交差する方向の長さが異なる。これにより、筐体３０の大きさなどの理由に応じて、上突出部４０または下突出部５０のサイズを任意に調整することができる。したがって、例えば筐体３０の大きさが変わっても、送風機１の静圧を高めることができ、且つ騒音の発生を抑制することが可能である。
【００４３】
第１上突出部４１及び第１下突出部５１は、軸方向から見た横断面の形状が同じである。第１上突出部４１及び第１下突出部５１は、軸方向と交差する方向において同じ位置に配置される。言い換えると、第１上突出部４１及び第１下突出部５１は、軸方向に直交する面に投影して同じ位置に配置される。同様に、第２上突出部４２及び第２下突出部５２は、軸方向から見た横断面の形状が同じである。第２上突出部４２及び第２下突出部５２は、軸方向と交差する方向において同じ位置に配置される。言い換えると、第２上突出部４２及び第２下突出部５２は、軸方向に直交する面に投影して同じ位置に配置される。
【００４４】
これにより、上突出部４０の軸方向下端は、下突出部５０と軸方向にちょうど対向する。すなわち、上突出部４０の軸方向下端は、下突出部５０の少なくとも一部と軸方向に対向する。上突出部４０及び下突出部５０が、筐体３０の側壁部３２２、３３２及びインペラ１０に近づき過ぎると、風量が低下する可能性がある。そのため、上突出部４０及び下突出部５０の軸方向に交差する方向の位置が異なる場合、側壁部３２２、３３２及びインペラ１０との距離を保つために排気部２５を大型化させる必要がある。本構成によれば、上突出部４０及び下突出部５０を、筐体３０の側壁部３２２、３３２及びインペラ１０のそれぞれに近づきすぎないように、好適な位置に配置することができる。これにより、送風機１が大型化することを抑制できる。なお、上突出部４０の軸方向下端は、下突出部５０の軸方向上端と、軸方向に交差する方向の位置が異なっても良い。
【００４５】
さらに、複数の上突出部４０の軸方向下端は、複数の下突出部５０と軸方向に対向する。すなわち、上突出部４０及び下突出部５０は、軸方向と交差する方向に隙間３８を介して複数配列され、複数の上突出部４０の軸方向下端は、複数の下突出部５０のいずれかの少なくとも一部と軸方向に対向する。上突出部４０及び下突出部５０が、筐体３０の側壁部３２２、３３２及びインペラ１０に近づき過ぎると風量が低下する可能性がある。そのため、上突出部４０及び下突出部５０の軸方向に交差する方向の位置が異なる場合、側壁部３２２、３３２及びインペラ１０との距離を保つために排気部２５を大型化させる必要がある。本構成によれば、複数の上突出部４０及び複数の下突出部５０を、筐体３０の側壁部３２２、３３２及びインペラ１０のそれぞれに近づきすぎないように、好適な位置に配置することができる。これにより、送風機１が大型化することを抑制できる。なお、複数の上突出部４０の軸方向下端は、複数の下突出部５０の軸方向上端と、軸方向に交差する方向の位置が異なっても良い。
【００４６】
＜３．送風機の変形例＞
＜３−１．送風機の変形例１＞
図６は、変形例１の送風機１の部分正面図である。変形例１の送風機１は、上突出部４０１と、下突出部５０１と、を有する。上突出部４０１は、第１上突出部４１１と、第２上突出部４２１と、を含む。下突出部５０１は、第１下突出部５１１と、第２下突出部５２１と、を含む。
【００４７】
上突出部４０１または下突出部５０１は、軸方向と交差する方向に隙間３８を介して複数配列され、少なくとも１つの上突出部４０１または少なくとも１つの下突出部５０１は 、他の上突出部４０１または他の下突出部５０１と、軸方向と交差し、且つ空気流通方向と交差する方向の長さが同一である。
【００４８】
本実施形態において、第１上突出部４１１における、軸方向と交差し、且つ空気流通方向と交差する方向の長さｗ４１１は、第２上突出部４２１における、軸方向と交差し、且つ空気流通方向と交差する方向の長さｗ４２１と同一である。これにより、例えば、筐体３０を樹脂成形する場合に、ヒケやショートの発生を抑制することができ、成形性を向上させることが可能である。
【００４９】
なお、３つ以上の突出部を有する上突出部４０において、少なくとも１つの上突出部４０における、軸方向と交差し、且つ空気流通方向と交差する方向の長さは、他と同一である構成であっても良い。例えば、３つの上突出部４０１を有する場合に、２つの上突出部４０１における、軸方向と交差し、且つ空気流通方向と交差する方向の長さは同一であり、残る１つの上突出部４０１における、当該長さは他の２つと異なることにしても良い。また、３つすべての上突出部４０１における、軸方向と交差し、且つ空気流通方向と交差する方向の長さは、同一であることにしても良い。
【００５０】
本実施形態において、第１下突出部５１１における、軸方向と交差し、且つ空気流通方向と交差する方向の長さｗ５１１は、第２下突出部５２１における、軸方向と交差し、且つ空気流通方向と交差する方向の長さｗ５２１と同一である。これにより、例えば、筐体３０を樹脂成形する場合に、ヒケやショートの発生を抑制することができ、成形性を向上させることが可能である。
【００５１】
なお、３つ以上の突出部を有する下突出部５０において、少なくとも１つの下突出部５０における、軸方向と交差し、且つ空気流通方向と交差する方向の長さは、他と同一である構成であっても良い。例えば、３つの下突出部５０１を有する場合に、２つの下突出部５０１における、軸方向と交差し、且つ空気流通方向と交差する方向の長さは同一であり、残る１つの下突出部５０１における、当該長さは他の２つと異なることにしても良い。また、３つすべての下突出部５０１における、軸方向と交差し、且つ空気流通方向と交差する方向の長さは、同一であることにしても良い。
【００５２】
そして、変形例１の送風機１においても、流路３１に上突出部４０１及び下突出部５０１を配置することで、送風機１の静圧を高めることができ、且つ騒音の発生を抑制することが可能である。
【００５３】
＜３−２．送風機の変形例２＞
図７は、変形例２の送風機１の部分正面図である。変形例２の送風機１は、上突出部４０２と、下突出部５０２と、を有する。上突出部４０２は、第１上突出部４１２と、第２上突出部４２２と、を含む。下突出部５０２は、第１下突出部５１２と、第２下突出部５２２と、を含む。
【００５４】
第１上突出部４１２の軸方向長さは、第２上突出部４２２の軸方向長さと、同一である。第１下突出部５１２の軸方向長さは、第２下突出部５２２の軸方向長さと、同一である。そして、上突出部４０２の軸方向長さは、下突出部５０２の軸方向長さと、異なる。具体的には、上突出部４０２の軸方向長さは、下突出部５０２の軸方向長さよりも短い。
【００５５】
なお、上突出部４０２の軸方向長さが、下突出部５０２の軸方向長さよりも長い構成であっても良い。また、上突出部４０２及び下突出部５０２は、３つ以上の突出部を有していても良い。
【００５６】
変形例２の送風機１においても、流路３１に上突出部４０２及び下突出部５０２を配置することで、送風機１の静圧を高めることができ、且つ騒音の発生を抑制することが可能である。
【００５７】
＜３−３．送風機の変形例３＞
図８は、変形例３の送風機１の部分正面図である。変形例３の送風機１は、上突出部４０３と、下突出部５０３と、を有する。上突出部４０３は、第１上突出部４１３と、第２上突出部４２３と、を含む。下突出部５０３は、第１下突出部５１３と、第２下突出部５２３と、を含む。
【００５８】
第１上突出部４１３の軸方向長さは、第２上突出部４２３の軸方向長さと、異なる。第１下突出部５１３の軸方向長さは、第２下突出部５２３の軸方向長さと、異なる。そして、上突出部４０３の軸方向長さは、下突出部５０３の軸方向長さと、異なる。具体的には、軸方向に対向する第１上突出部４１３及び第１下突出部５１３において、第１上突出部４１３の軸方向長さは、第１下突出部５１３の軸方向長さよりも長い。また、軸方向に対向する第２上突出部４２３及び第２下突出部５２３において、第２上突出部４２３の軸方向長さは、第２下突出部５２３の軸方向長さよりも短い。
【００５９】
なお、第１上突出部４１３の軸方向長さが、第１下突出部５１３の軸方向長さよりも短い構成であっても良い。また、第２上突出部４２３の軸方向長さが、第２下突出部５２３の軸方向長さよりも長い構成であっても良い。また、上突出部４０３及び下突出部５０３は、３つ以上の突出部を有していても良い。
【００６０】
変形例３の送風機１においても、流路３１に上突出部４０３及び下突出部５０３を配置することで、送風機１の静圧を高めることができ、且つ騒音の発生を抑制することが可能である。
【００６１】
＜３−４．送風機の変形例４＞
図９は、変形例４の送風機１の部分正面図である。変形例４の送風機１は、上突出部４０４と、下突出部５０４と、を有する。上突出部４０４は、第１上突出部４１４と、第２上突出部４２４と、を含む。下突出部５０４は、第１下突出部５１４と、第２下突出部５２４と、を含む。
【００６２】
第１上突出部４１４または第２上突出部４２４と、第１下突出部５１４または第２下突出部５２４とは、軸方向と交差する方向において異なる位置に配置される。言い換えると、第１上突出部４１４または第２上突出部４２４と、第１下突出部５１４または第２下突出部５２４とは、軸方向に直交する面に投影して異なる位置に配置される。これにより、上突出部４０４の軸方向下端は、下突出部５０４の一部と軸方向に対向しない。なお、上突出部４０４の軸方向下端は、下突出部５０４の少なくとも一部と軸方向に対向しても良い。
【００６３】
変形例４の送風機１においても、流路３１に上突出部４０４及び下突出部５０４を配置することで、送風機１の静圧を高めることができ、且つ騒音の発生を抑制することが可能である。
【００６４】
＜３−５．送風機の変形例５＞
図１０は、変形例５の送風機１の部分正面図である。変形例５の送風機１は、上突出部４０５と、下突出部５０５と、を有する。下突出部５０５は、第１下突出部５１５と、第２下突出部５２５と、を含む。
【００６５】
すなわち、上突出部４０５と、下突出部５０５とは、突出部の数が異なる。また、上突出部４０５及び下突出部５０５は、軸方向と交差する方向において異なる位置に配置される。言い換えると、上突出部４０５及び下突出部５０５は、軸方向に直交する面に投影して異なる位置に配置される。これにより、上突出部４０５の軸方向下端は、下突出部５０５の一部と軸方向に対向しない。なお、上突出部４０５の軸方向下端は、下突出部５０５の少なくとも一部と軸方向に対向することにしても良い。
【００６６】
変形例５の送風機１においても、流路３１に上突出部４０５及び下突出部５０５を配置することで、送風機１の静圧を高めることができ、且つ騒音の発生を抑制することが可能である。
【００６７】
＜３−６．送風機の変形例６＞
図１１は、変形例６の送風機１の部分正面図である。変形例６の送風機１は、上突出部４０６と、下突出部５０６と、を有する。上突出部４０６は、第１上突出部４１６と、第２上突出部４２６と、を含む。
【００６８】
すなわち、上突出部４０６と、下突出部５０６とは、突出部の数が異なる。また、上突出部４０６及び下突出部５０６は、軸方向と交差する方向において異なる位置に配置される。言い換えると、上突出部４０６及び下突出部５０６は、軸方向に直交する面に投影して異なる位置に配置される。これにより、上突出部４０６の軸方向下端は、下突出部５０６の一部と軸方向に対向しない。なお、上突出部４０６の軸方向下端は、下突出部５０６の少なくとも一部と軸方向に対向することにしても良い。
【００６９】
変形例６の送風機１においても、流路３１に上突出部４０６及び下突出部５０６を配置することで、送風機１の静圧を高めることができ、且つ騒音の発生を抑制することが可能である。
【００７０】
＜３−７．送風機の変形例７＞
図１２は、変形例７の送風機１の部分正面図である。変形例７の送風機１は、上突出部４０７と、下突出部５０７と、を有する。上突出部４０７及び下突出部５０７は、ともに突出部を１つのみ有する。
【００７１】
上突出部４０７及び下突出部５０７は、軸方向と交差する方向において同じ位置に配置される。言い換えると、上突出部４０７及び下突出部５０７は、軸方向に直交する面に投影して同じ位置に配置される。これにより、上突出部４０７の軸方向下端は、下突出部５０７と軸方向にちょうど対向する。
【００７２】
変形例７の送風機１においても、流路３１に上突出部４０７及び下突出部５０７を配置することで、送風機１の静圧を高めることができ、且つ騒音の発生を抑制することが可能である。
【００７３】
＜３−８．送風機の変形例８＞
図１３は、変形例８の送風機１の部分正面図である。変形例８の送風機１は、上突出部４０８と、下突出部５０８と、を有する。上突出部４０８及び下突出部５０８は、ともに突出部を１つのみ有する。
【００７４】
上突出部４０８及び下突出部５０８は、軸方向と交差する方向において異なる位置に配置される。言い換えると、上突出部４０８及び下突出部５０８は、軸方向に直交する面に投影して異なる位置に配置される。これにより、上突出部４０８の軸方向下端は、下突出部５０８の一部と軸方向に対向する。
【００７５】
変形例８の送風機１においても、流路３１に上突出部４０８及び下突出部５０８を配置することで、送風機１の静圧を高めることができ、且つ騒音の発生を抑制することが可能である。
【００７６】
＜３−９．送風機の変形例９＞
図１４は、変形例９の送風機１の部分正面図である。変形例９の送風機１は、上突出部４０９と、下突出部５０９と、を有する。上突出部４０９は、第１上突出部４１９と、第２上突出部４２９と、を含む。下突出部５０９は、第１下突出部５１９と、第２下突出部５２９と、を含む。
【００７７】
上突出部４０９または下突出部５０９は、軸方向と交差する方向に隙間３８を介して複数配列され、複数の上突出部４０９または複数の下突出部５０９において、軸方向と交差し、且つ空気流通方向と交差する方向の長さは、軸方向先端に向かうにつれて短くなり、軸方向の長さは、同一である。
【００７８】
本実施形態において、第１上突出部４１９及び第２上突出部４２９は、排気部３１２の空気流通方向（図１４の紙面に対する奥行き方向）に沿って延びる側面にテーパーがついている。すなわち、第１上突出部４１９及び第２上突出部４２９それぞれの軸方向と交差し、且つ空気流通方向と交差する方向（図１４の左右横方向）の長さは、軸方向下端に向かうにつれて短くなる。第１上突出部４１９及び第２上突出部４２９それぞれの軸方向の長さは、同一である。
【００７９】
第１下突出部５１９及び第２下突出部５２９は、排気部３１２の空気流通方向（図１４の紙面に対する奥行き方向）に沿って延びる側面にテーパーがついている。すなわち、第１下突出部５１９及び第２下突出部５２９それぞれの軸方向と交差し、且つ空気流通方向と交差する方向（図１４の左右横方向）の長さは、軸方向上端に向かうにつれて短くなる。第１下突出部５１９及び第２下突出部５２９それぞれの軸方向の長さは、同一である。
【００８０】
この構成によれば、例えば筐体３０を樹脂成形する場合に、金型から容易に取り出すことができる。さらに、複数の上突出部４０９の軸方向の長さまたは複数の下突出部５０９の軸方向の長さを、同一とすることで、複数の軸方向隙間３６が軸方向の同じ長さになる。これにより、空気が軸方向隙間３６を通過し易くなる。また、複数の上突出部４０９または複数の下突出部５０９の根元における軸方向と交差し、且つ空気流通方向と交差する方向の長さが同一であり、さらに同一の抜き勾配である場合に、軸方向の長さを同一とすることで、それぞれの軸方向の先端の幅が同一になる。これにより、複数の上突出部４０９または複数の下突出部５０９の強度を同様とすることができる。
【００８１】
そして、変形例９の送風機１においても、流路３１に上突出部４０９及び下突出部５０９を配置することで、送風機１の静圧を高めることができ、且つ騒音の発生を抑制することが可能である。
【００８２】
＜３−１０．送風機の変形例１０＞
図１５は、変形例１０の送風機１の縦断面図である。変形例１０の送風機１は、上吸気口３４Ａと、下吸気口３４Ｂと、を有する。
【００８３】
上吸気口３４Ａは、上カバー部３２の天板部３２１に設けられる。上吸気口３４Ａは、軸方向から見て、中心軸Ｃを中心とした円形である。上吸気口３４Ａは、軸方向に天板部３２１を貫通する。上吸気口３４Ａの直径は、インペラ１０の直径よりも小さい。
【００８４】
下吸気口３４Ｂは、下カバー部３３の底板部３３１に設けられる。下吸気口３４Ｂは、軸方向から見て、中心軸Ｃを中心とした円形である。下吸気口３４Ｂは、軸方向に底板部３３１を貫通する。下吸気口３４Ｂの直径は、インペラ１０の直径よりも小さい。
【００８５】
上吸気口３４Ａ及び下吸気口３４Ｂは、軸方向に筐体３０を貫通する。送風機１の外部の空気は、上吸気口３４Ａ及び下吸気口３４Ｂを介して、インペラ１０の内方に吸い込まれ、インペラ１０の径方向外方に吹出される。
【００８６】
変形例１０の送風機１においても、流路３１に上突出部４０及び下突出部５０を配置することで、送風機１の静圧を高めることができ、且つ騒音の発生を抑制することが可能である。
【００８７】
＜４．その他＞
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【産業上の利用可能性】
【００８８】
本発明は、例えば送風機において利用可能である。
【符号の説明】
【００８９】
１・・・送風機、１０・・・インペラ、１１・・・羽根、１２・・・連結部、１２ａ・・・リング部、１２ｂ・・・接続部、１３・・・インペラカップ、１４・・・支持部、２０・・・モータ、３０・・・筐体、３１・・・流路、３１ａ・・・巻き終わり部、３１ｂ・・・舌部、３２・・・上カバー部、３３・・・下カバー部、３４・・・吸気口、３４Ａ・・・上吸気口、３４Ｂ・・・下吸気口、３５・・・排気口、３６・・・軸方向隙間、３７・・・隙間、３８・・・隙間、４０・・・上突出部、４１・・・第１上突出部、４２・・・第２上突出部、５０・・・下突出部、５１・・・第１下突出部、５２・・・第２下突出部、３１１・・・環状部、３１２・・・排気部、３２１・・・天板部、３２２・・・側壁部、３３１・・・底板部、３３２・・・側壁部、４０１・・・上突出部、４０２・・・上突出部、４０３・・・上突出部、４０４・・・上突出部、４０５・・・上突出部、４０６・・・上突出部、４０７・・・上突出部、４０８・・・上突出部、４０９・・・上突出部、４１１・・・第１上突出部、４１２・・・第１上突出部、４１３・・・第１上突出部、４１４・・・第１上突出部、４１６・・・第１上突出部、４１９・・・第１上突出部、４２１・・・第２上突出部、４２２・・・第２上突出部、４２３・・・第２上突出部、４２４・・・第２上突出部、４２６・・・第２上突出部、４２９・・・第２上突出部、５０１・・・下突出部、５０２・・・下突出部、５０３・・・下突出部、５０４・・・下突出部、５０５・・・下突出部、５０６・・・下突出部、５０７・・・下突出部、５０８・・・下突出部、５０９・・・下突出部、５１１・・・第１下突出部、５１２・・・第１下突出部、５１３・・・第１下突出部、５１４・・・第１下突出部、５１５・・・第１下突出部、５１９・・・第１下突出部、５２１・・・第２下突出部、５２２・・・第２下突出部、５２３・・・第２下突出部、５２４・・・第２下突出部、５２５・・・第２下突出部、５２９・・・第２下突出部、Ｃ・・・中心軸、Ｒ・・・回転方向
【図１】
2019214961.tif 000003
【図２】
2019214961.tif 000004
【図３】
2019214961.tif 000005
【図４】
2019214961.tif 000006
【図５】
2019214961.tif 000007
【図６】
2019214961.tif 000008
【図７】
2019214961.tif 000009
【図８】
2019214961.tif 000010
【図９】
2019214961.tif 000011
【図１０】
2019214961.tif 000012
【図１１】
2019214961.tif 000013
【図１２】
2019214961.tif 000014
【図１３】
2019214961.tif 000015
【図１４】
2019214961.tif 000016
【図１５】
2019214961.tif 000017